(57)【特許請求の範囲】
【請求項１】
撮像部が撮像したライブビュー画像と設定部により設定された撮像条件を含むカメラ情報とを表示するデジタルカメラにおいて、
カメラ本体の一壁面に配設され、かつ前記カメラ本体との相対的な姿勢関係が回動によって変更可能な第１の表示部と、
前記第１の表示部の回動とは独立して前記カメラ本体に配設された第２の表示部と、
前記第１の表示部と前記第２の表示部の相対的な姿勢関係を検出する姿勢検出部と、
前記第１の表示部及び前記第２の表示部の少なくとも一方に、前記ライブビュー画像、前記カメラ情報、または前記ライブビュー画像及び前記カメラ情報の両方を表示させることが可能な表示制御部と、
前記第１の表示部の表示画面を照射する光の強度を直接的または間接的に検出する照度検出部と、を備え、
前記表示制御部は、前記第１の表示部及び前記第２の表示部の少なくとも一方に表示させる前記ライブビュー画像、前記カメラ情報、または前記ライブビュー画像及び前記カメラ情報の両方の表示形態を、前記照度検出部により検出された前記第１の表示部の表示画面を照射する光の強度と、前記姿勢検出部により検出された前記第１の表示部と前記第２の表示部の相対的な姿勢関係とに応じて自動的に変更するデジタルカメラ。
【請求項２】
請求項１に記載のデジタルカメラにおいて、さらに、
前記姿勢検出部により検出された前記第１の表示部と前記第２の表示部の相対的な姿勢関係に基づいて前記第１の表示部の表示画面及び前記第２の表示部の表示画面を同時に視認可能か否かを判別する判別部を備えたデジタルカメラ。
【請求項３】
請求項２に記載のデジタルカメラにおいて、
前記表示制御部は、前記照度検出部により検出された前記第１の表示部の表示画面を照射する光の強度と前記判別部による判別結果とに基づいて前記第１の表示部及び前記第２の表示部の少なくとも一方の表示形態を変更するデジタルカメラ。
【請求項４】
請求項１から３のいずれか１項に記載のデジタルカメラにおいて、
前記第２の表示部が前記カメラ本体に対して回動可能に配設されたデジタルカメラ。
【請求項５】
請求項１から４のいずれか１項に記載のデジタルカメラにおいて、
前記第１の表示部が前記第２の表示部より大型であるデジタルカメラ。
【請求項６】
請求項１から５のいずれか１項に記載のデジタルカメラにおいて、
前記第２の表示部は、前記第１の表示部よりも日中屋外光下での視認性が高い表示画面を有するデジタルカメラ。
【請求項７】
請求項１から６のいずれか１項に記載のデジタルカメラにおいて、
前記表示制御部は、
前記照度検出部により検出された前記光の強度が設定値に満たない場合、または前記姿勢検出部により検出された相対的な姿勢関係が、前記第１の表示部及び前記第２の表示部の表示画面を同時に視認不能な姿勢関係にある場合には、前記第１の表示部に少なくとも前記ライブビュー画像を表示させ、前記第２の表示部に前記カメラ情報を表示させ、
前記照度検出部により検出された前記光の強度が前記設定値を満たし、かつ前記姿勢検出部により検出された相対的な姿勢関係が、前記第１の表示部及び前記第２の表示部の表示画面を同時に視認可能な姿勢関係にある場合には、前記第２の表示部にフレーミングを支援する情報を表示させるデジタルカメラ。
【請求項８】
請求項７に記載のデジタルカメラにおいて、
前記表示制御部は、
前記照度検出部により検出された前記光の強度が前記設定値を満たし、かつ前記姿勢検出部により検出された相対的な姿勢関係が、前記第１の表示部及び前記第２の表示部の表示画面を同時に視認可能な姿勢関係にある場合には、前記第２の表示部に表示させた前記カメラ情報に代えて前記フレーミングを支援する情報を表示させるデジタルカメラ。
【請求項９】
請求項７に記載のデジタルカメラにおいて、
前記表示制御部は、
前記照度検出部により検出された前記光の強度が前記設定値を満たし、かつ前記姿勢検出部により検出された相対的な姿勢関係が、前記第１の表示部及び前記第２の表示部の表示画面を同時に視認可能な姿勢関係にある場合には、前記第２の表示部に表示させた前記カメラ情報に加えて前記フレーミングを支援する情報を表示させるデジタルカメラ。
【請求項１０】
請求項７から９のいずれか１項に記載のデジタルカメラにおいて、
前記フレーミングを支援する情報は、前記ライブビュー画像、前記ライブビュー画像を２値化した２値画像、前記ライブビュー画像内の主要被写体の位置を示す指標、及び前記ライブビュー画像内の主要被写体を拡大した画像のうちの少なくとも１つを含むデジタルカメラ。
【請求項１１】
請求項７から１０のいずれか１項に記載のデジタルカメラにおいて、
前記表示制御部は、
前記照度検出部により検出された前記光の強度が前記設定値を満たし、かつ前記姿勢検出部により検出された相対的な姿勢関係が、前記第１の表示部及び前記第２の表示部の表示画面を同時に視認可能な姿勢関係にある場合には、前記第１の表示部の表示を中止させるデジタルカメラ。
【請求項１２】
撮像部が撮像したライブビュー画像と設定部により設定された撮像条件を含むカメラ情報とを表示するデジタルカメラにおいて、
カメラ本体の一壁面に配設され、かつ前記カメラ本体との相対的な姿勢関係が回動によって変更可能な第１の表示部と、
前記第１の表示部の回動とは独立して前記カメラ本体に配設された第２の表示部と、
前記第１の表示部と前記第２の表示部の相対的な姿勢関係を検出する姿勢検出部と、
前記第１の表示部に少なくとも前記ライブビュー画像を表示させ、前記第２の表示部に前記カメラ情報、画面内の被写体の位置を表す画像、または前記カメラ情報及び前記画面内の被写体の位置を表す画像の両方を表示させることが可能な表示制御部と、
前記第１の表示部の表示画面を照射する光の強度を直接的または間接的に検出する照度検出部と、を備え、
前記表示制御部は、前記第２の表示部に表示させる前記カメラ情報、画面内の被写体の位置を表す画像、または前記カメラ情報及び前記画面内の被写体の位置を表す画像の両方の表示形態を、前記照度検出部により検出された前記第１の表示部の表示画面を照射する光の強度と、前記姿勢検出部により検出された前記第１の表示部と前記第２の表示部の相対的な姿勢関係とに応じて自動的に変更するデジタルカメラ。
【請求項１３】
請求項１２に記載のデジタルカメラにおいて、
前記表示制御部は、
前記照度検出部により検出された前記光の強度が設定値に満たない場合、または前記姿勢検出部により検出された相対的な姿勢関係が、前記第１の表示部及び前記第２の表示部の表示画面を同時に視認不能な姿勢関係にある場合には、前記第１の表示部に少なくとも前記ライブビュー画像を表示させ、前記第２の表示部に前記カメラ情報を表示させ、
前記照度検出部により検出された前記光の強度が前記設定値を満たし、かつ前記姿勢検出部により検出された相対的な姿勢関係が、前記第１の表示部及び前記第２の表示部の表示画面を同時に視認可能な姿勢関係にある場合には、前記第２の表示部に少なくとも前記画面内の被写体の位置を表す画像を表示させるデジタルカメラ。
【請求項１４】
請求項１３に記載のデジタルカメラにおいて、
前記画面内の被写体の位置を表す画像は、前記ライブビュー画像、前記ライブビュー画像を２値化した２値画像、前記ライブビュー画像内の主要被写体の位置を示す指標、及び前記ライブビュー画像内の主要被写体を拡大した画像のうちの少なくとも前記ライブビュー画像を含む２種類以上の画像であり、
前記表示制御部は、前記第１の表示部及び前記第２の表示部の表示画面を同時に視認可能な姿勢関係にある場合の視認可能なレベルにより、前記ライブビュー画像を前記第２の表示部に表示させるか、又は前記２種類以上の画像中の前記ライブビュー画像以外の画像を前記第２の表示部に表示させるかを切り替えるデジタルカメラ。
【請求項１５】
請求項１３に記載のデジタルカメラにおいて、
前記画面内の被写体の位置を表す画像は、前記ライブビュー画像、前記ライブビュー画像を２値化した２値画像、前記ライブビュー画像内の主要被写体の位置を示す指標、及び前記ライブビュー画像内の主要被写体を拡大した画像のうちの少なくとも前記ライブビュー画像を含む２種類以上の画像であり、
前記表示制御部は、前記第１の表示部及び前記第２の表示部の表示画面を同時に視認可能な姿勢関係にある場合の視認可能なレベルにより、前記２種類以上の画像のうちのいずれの画像を前記第２の表示部に表示させるかを切り替えるデジタルカメラ。
【請求項１６】
請求項１３に記載のデジタルカメラにおいて、
前記画面内の被写体の位置を表す画像は、前記ライブビュー画像、前記ライブビュー画像を２値化した２値画像、前記ライブビュー画像内の主要被写体の位置を示す指標、及び前記ライブビュー画像内の主要被写体を拡大した画像のうちの少なくとも前記ライブビュー画像を含む２種類以上の画像であり、
前記表示制御部は、前記光の強度が前記設定値を満たしている場合の前記光の強度レベルにより、前記ライブビュー画像を前記第２の表示部に表示させるか、又は前記２種類以上の画像中の前記ライブビュー画像以外の画像を前記第２の表示部に表示させるかを切り替えるデジタルカメラ。
【請求項１７】
請求項１３に記載のデジタルカメラにおいて、
前記画面内の被写体の位置を表す画像は、前記ライブビュー画像、前記ライブビュー画像を２値化した２値画像、前記ライブビュー画像内の主要被写体の位置を示す指標、及び前記ライブビュー画像内の主要被写体を拡大した画像のうちの少なくとも前記ライブビュー画像を含む２種類以上の画像であり、
前記表示制御部は、前記光の強度が前記設定値を満たしている場合の前記光の強度レベルにより、前記２種類以上の画像のうちのいずれの画像を前記第２の表示部に表示させるかを切り替えるデジタルカメラ。
【請求項１８】
撮像部が撮像したライブビュー画像と設定部により設定された撮像条件を含むカメラ情報とを表示するデジタルカメラの表示方法において、
カメラ本体の一壁面に配設され、かつ前記カメラ本体との相対的な姿勢関係が回動によって変更可能な第１の表示部と、前記第１の表示部の回動とは独立して前記カメラ本体に配設された第２の表示部との相対的な姿勢関係を検出するステップと、
前記第１の表示部の表示画面を照射する光の強度を直接的または間接的に検出するステップと、
前記第１の表示部及び前記第２の表示部の少なくとも一方に、前記ライブビュー画像、前記カメラ情報、または前記カメラ情報及び前記ライブビュー画像の両方を表示させるステップであって、前記第１の表示部及び前記第２の表示部の少なくとも一方に表示させる前記ライブビュー画像、前記カメラ情報、または前記カメラ情報及び前記ライブビュー画像の両方の表示形態を、前記検出された前記第１の表示部の表示画面を照射する光の強度と、前記検出された前記第１の表示部と前記第２の表示部の相対的な姿勢関係とに応じて自動的に変更させるステップと、
を含むデジタルカメラの表示方法。
【請求項１９】
撮像部が撮像したライブビュー画像と設定部により設定された撮像条件を含むカメラ情報とを表示するデジタルカメラの表示方法において、
カメラ本体の一壁面に配設され、かつ前記カメラ本体との相対的な姿勢関係が回動によって変更可能な第１の表示部と、前記第１の表示部の回動とは独立して前記カメラ本体に配設された第２の表示部との相対的な姿勢関係を検出するステップと、
前記第１の表示部の表示画面を照射する光の強度を直接的または間接的に検出するステップと、
前記第１の表示部に少なくとも前記ライブビュー画像を表示させ、前記第２の表示部に前記カメラ情報、画面内の被写体の位置を表す画像、または前記カメラ情報及び前記画面内の被写体の位置を表す画像の両方を表示させるステップであって、前記第２の表示部に表示させる前記カメラ情報、画面内の被写体の位置を表す画像、または前記カメラ情報及び前記画面内の被写体の位置を表す画像の両方の表示形態を、前記検出された前記第１の表示部の表示画面を照射する光の強度と、前記検出された前記第１の表示部と前記第２の表示部の相対的な姿勢関係とに応じて自動的に変更させるステップと、
を含むデジタルカメラの表示方法。
【発明の詳細な説明】
【技術分野】
【０００１】
本発明はデジタルカメラ及びデジタルカメラの表示方法に係り、特にフレーミングに使用されるライブビュー画像等を表示する技術に関する。
【背景技術】
【０００２】
従来、カメラ本体の背面にそれぞれ透過型のカラー液晶表示器と反射型のモノクロ液晶表示器とを備え、電源電圧が低下した場合、又は省電力モードが設定されている場合には、カラー液晶表示器を駆動せずに、モノクロ液晶表示器のみを制御し、ライブビュー画像、各種設定画面等をモノクロ表示するデジタルカメラが提案されている（特許文献１）。【０００３】
また、特許文献１には、デジタルカメラの外部が暗い場合には、外光を光源とする反射型のモノクロ液晶表示器の画面が見えないと判定して、モノクロ液晶表示器を駆動せずにカラー液晶表示器を制御して、通常給電モードの場合よりも輝度を落としてライブビュー画像等をカラー表示する記載がある。この場合、モノクロ液晶表示器に画像を表示する場合よりも消費電力が大きいが、通常給電モードの場合よりも消費電力を低減することができ、暗い場所でもライブビュー画像等を視認することができる。【０００４】
また、カメラ本体の背面と前面とにそれぞれ主表示パネルと前面表示パネルとを設け、これらの主表示パネルと前面表示パネルとにそれぞれライブビュー画像等を表示するデジタルカメラが記載されている（特許文献２）。前面表示パネルにライブビュー画像を表示するのは、被写体となっている人物が、前面表示パネルに表示される自分のポーズや表情を確認することができるようにするためである。【０００５】
また、特許文献２には、外光光量センサ等で外光光量を検出し、外光光量が所定レベルより低い場合や逆光状態と判定されるような場合には、被写体となっている人物は、前面表示パネルに表示されるライブビュー画像を良好に視認することができないと推定し、前面表示パネルの表示をオフに制御する記載がある。
【先行技術文献】
【特許文献】
【０００６】
【特許文献１】特開２００５−２６０８７９号公報
【特許文献２】特開２０１０−１１４５６８号公報
【発明の概要】
【発明が解決しようとする課題】
【０００７】
特許文献１に記載の発明は、電源電圧が低下した場合、又は省電力モードが設定されている場合には、消費電力が大きい透過型のカラー液晶表示器を駆動せずに、消費電力の少ない反射型のモノクロ液晶表示器のみを制御し、ライブビュー画像等をモノクロ表示し、これにより消費電力を低減し、電源の寿命を延ばすというものである。【０００８】
特許文献１に記載のカメラ本体の背面に配設された、透過型のカラー液晶表示器と反射型のモノクロ液晶表示器とは、それぞれ外光光量によって視認性が異なるものの、特許文献１には、外光（環境光）が強いために透過型のカラー液晶表示器の表示画面が見にくくなるという課題については記載されておらず、その課題を解決するための手段も記載されていない。【０００９】
また、特許文献１には、外部が暗い場合、外光を光源とする反射型のモノクロ液晶表示器は視認性が悪くなるため、バックライトを有する透過型のカラー液晶表示器を使用するが、この場合も外部が暗いため、通常給電モード時よりも低い輝度でライブビュー画像等を表示し、消費電力を低減させている。【００１０】
一方、特許文献２には、外光光量センサ等により外光光量を検出する記載があるものの、検出された外光光量は、被写体となっている人物が前面表示パネルに表示されるライブビュー画像を良好に視認することができる明るさか否かを推定するために使用されるものである。即ち、特許文献１にも外光が強いために透過型の液晶表示器が見にくくなるという課題については記載されていない。【００１１】
更に、特許文献１に記載の発明は、通常給電モードで使用される透過型のカラー液晶表示器の他に、省電力モードを実現するために消費電力の少ない反射型のモノクロ液晶表示器を設ける必要があり、コストアップになるという問題がある。また、透過型のカラー液晶表示器及び反射型のモノクロ液晶表示器は、それぞれカメラ本体の背面に固定配置されており、ローアングルの撮影には適していない。【００１２】
同様に特許文献２に記載の発明は、カメラ本体の背面に固定配置された主表示パネルの他に、自分自身を撮影する場合のフレーミング、又は撮影される人物がライブビュー画像を視認できるようにカメラ前面に前面表示パネルを設ける必要があり、コストアップになるという問題がある。また、主表示パネル及び前面パネルは、それぞれカメラ本体の背面及び前面に固定配置されており、ローアングルの撮影には適していない。【００１３】
本発明はこのような事情に鑑みてなされたもので、ライブビュー画像が見にくい状況であってもフレーミングを支援する情報を表示することが可能であり、また、ローアングルの撮影に適したデジタルカメラ及びデジタルカメラの表示方法を提供することを目的とする。
【課題を解決するための手段】
【００１４】
上記目的を達成するために一の態様に係る発明は、撮像部が撮像したライブビュー画像と設定部により設定された撮像条件を含むカメラ情報とを表示するデジタルカメラにおいて、カメラ本体の一壁面に配設され、かつカメラ本体との相対的な姿勢関係が回動によって変更可能な第１の表示部と、第１の表示部の回動とは独立してカメラ本体に配設された第２の表示部と、第１の表示部と第２の表示部の相対的な姿勢関係を検出する姿勢検出部と、第１の表示部及び第２の表示部の少なくとも一方に、ライブビュー画像、カメラ情報、またはライブビュー画像及びカメラ情報の両方を表示させることが可能な表示制御部と、第１の表示部の表示画面を照射する光の強度を直接的または間接的に検出する照度検出部と、を備え、表示制御部は、第１の表示部及び第２の表示部の少なくとも一方に表示させるライブビュー画像、カメラ情報、またはライブビュー画像及びカメラ情報の両方の表示形態を、照度検出部により検出された第１の表示部の表示画面を照射する光の強度と、姿勢検出部により検出された第１の表示部と第２の表示部の相対的な姿勢関係とに応じて自動的に変更する。【００１５】
第１の表示部と第２の表示部とは、少なくとも第１の表示部が回動することにより相対的な姿勢関係が変化し、両者の表示画面を同時に視認可能な姿勢関係になり、また、第１の表示部は、表示画面を照射する光の強度により見にくくなる場合がある。この場合、第１の表示部及び第２の表示部の少なくとも一方の表示形態を変更するようにしたため、第１の表示部の表示画面が見にくい場合でも、視線方向を変えるだけで第２の表示部の表示画面に表示される、表示形態の変更後の情報を視認することができる。また、ライブビュー画像の表示が可能な第１の表示部は、カメラ本体との相対的な姿勢関係を回動によって変更することができるため、ローアングルのフレーミングを行う場合でもライブビュー画像が見やすく、良好にフレーミングを行うことができる。【００１６】
本発明の他の態様に係るデジタルカメラにおいて、さらに、姿勢検出部により検出された第１の表示部と第２の表示部の相対的な姿勢関係に基づいて第１の表示部の表示画面及び第２の表示部の表示画面を同時に視認可能か否かを判別する判別部を備えることが好ましい。即ち、判別部は、第１の表示部の表示画面と第２の表示部の表示画面とが予め設定された角度範囲（視線方向を変えるだけで両者の表示画面の情報を視認できる角度範囲）内か否かにより第１の表示部の表示画面及び第２の表示部の表示画面を同時に視認可能か否かを判別する。【００１７】
本発明の更に他の態様に係るデジタルカメラにおいて、表示制御部は、照度検出部により検出された第１の表示部の表示画面を照射する光の強度と判別部による判別結果とに基づいて第１の表示部及び第２の表示部の少なくとも一方の表示形態を変更することが好ましい。即ち、第１の表示部の表示画面及び第２の表示部の表示画面を同時に視認可能であっても、第１の表示部の表示画面を照射する光の強度により第１の表示部の表示画面が見にくくならない限り、第１の表示部及び第２の表示部の表示形態が変更されることはない。【００１８】
本発明の更に他の態様に係るデジタルカメラにおいて、第２の表示部がカメラ本体に対して回動可能に配設されることが好ましい。これによれば、カメラ本体の位置及び姿勢にかかわらず、第１の表示部の表示画面と第２の表示部の表示画面とを同時に視認できるように各表示画面の姿勢を変更することができ、その結果、実質的に第１の表示部の表示画面を照射する光の強度のみにより第１の表示部及び第２の表示部の少なくとも一方の表示形態を変更することができる。【００１９】
本発明の更に他の態様に係るデジタルカメラにおいて、第１の表示部が第２の表示部より大型であることが好ましい。主として第１の表示部にライブビュー画像を表示し、第２の表示部にカメラ情報を表示する場合、フレーミングに使用するライブビュー画像をカメラ情報に比べて大きく表示することができる。また、カメラ本体に対して回動し、かつライブビュー画像を表示する第１の表示部と、第１の表示部よりも小さい、カメラ情報を表示する第２の表示部とを有するデジタルカメラは、既存のデジタルカメラとして存在するが、この既存のデジタルカメラに対して本発明に係るデジタルカメラは、ファームウエアの変更等の僅かな変更により構成することができ、大幅なコストアップにならない。【００２０】
本発明の更に他の態様に係るデジタルカメラにおいて、第２の表示部は、第１の表示部よりも日中屋外光下での視認性が高い表示画面を有することが好ましい。第１の表示部が日中屋外光下で視認性が低くなる場合（明るくて見にくい場合）でも、第２の表示部により必要な情報を良好に視認することができる。【００２１】
本発明の更に他の態様に係るデジタルカメラにおいて、表示制御部は、照度検出部により検出された光の強度が設定値に満たない場合、または姿勢検出部により検出された相対的な姿勢関係が、第１の表示部及び第２の表示部の表示画面を同時に視認不能な姿勢関係にある場合には、第１の表示部に少なくともライブビュー画像を表示させ、第２の表示部にカメラ情報を表示させ、照度検出部により検出された光の強度が設定値を満たし、かつ姿勢検出部により検出された相対的な姿勢関係が、第１の表示部及び第２の表示部の表示画面を同時に視認可能な姿勢関係にある場合には、第２の表示部にフレーミングを支援する情報を表示させることが好ましい。【００２２】
即ち、通常、第１の表示部にはライブビュー画像を表示させ、第２の表示部にはカメラ情報を表示させるが、照度検出部により検出された光の強度が設定値を満たし、その結果、第１の表示部の表示画面が明るくて見にくくなり、ライブビュー画像の視認によるフレーミングが困難になり、かつ第１の表示部及び第２の表示部の表示画面を同時に視認可能な姿勢関係にある場合には、第２の表示部の表示形態を変化させ、第２の表示部にフレーミングを支援する情報を表示させ、これによりフレーミングを可能にしている。【００２３】
本発明の更に他の態様に係るデジタルカメラにおいて、表示制御部は、照度検出部により検出された光の強度が設定値を満たし、かつ姿勢検出部により検出された相対的な姿勢関係が、第１の表示部及び第２の表示部の表示画面を同時に視認可能な姿勢関係にある場合には、第２の表示部に表示させたカメラ情報に代えてフレーミングを支援する情報を表示させることが好ましい。特に第２の表示部の画面が小さく、カメラ情報とフレーミングを支援する情報とを同時に表示すると、両者が見にくくなる場合に有効である。【００２４】
本発明の更に他の態様に係るデジタルカメラにおいて、表示制御部は、照度検出部により検出された光の強度が設定値を満たし、かつ姿勢検出部により検出された相対的な姿勢関係が、第１の表示部及び第２の表示部の表示画面を同時に視認可能な姿勢関係にある場合には、第２の表示部に表示させたカメラ情報に加えてフレーミングを支援する情報を表示させることが好ましい。第２の表示部の表示画面にカメラ情報とフレーミングを支援する情報とを同時に表示すると、両者が見にくくなるものの、フレーミングを行う際にカメラ情報も確認したい場合に有効である。【００２５】
本発明の更に他の態様に係るデジタルカメラにおいて、フレーミングを支援する情報は、ライブビュー画像、ライブビュー画像を２値化した２値画像、ライブビュー画像内の主要被写体の位置を示す指標、及びライブビュー画像内の主要被写体を拡大した画像のうちの少なくとも１つを含むことが好ましい。第２の表示部の表示画面にフレーミングを支援する情報を表示する場合、ライブビュー画像を表示する場合に限らず、ライブビュー画像を２値化した２値画像、ライブビュー画像内の主要被写体の位置を示す指標（例えば、主要被写体が人物の場合には、人物の顔の範囲を示す顔枠、あるいは主要被写体の位置を示す矢印等のカーソル）、又はライブビュー画像内の主要被写体を拡大した画像を表示するようにしてもよい。【００２６】
本発明の更に他の態様に係るデジタルカメラにおいて、表示制御部は、照度検出部により検出された光の強度が設定値を満たし、かつ姿勢検出部により検出された相対的な姿勢関係が、第１の表示部及び第２の表示部の表示画面を同時に視認可能な姿勢関係にある場合には、第１の表示部の表示を中止させることが好ましい。照度検出部により検出された光の強度が設定値を満たし、その結果、第１の表示部の表示画面が明るくて見にくくなっているため、第１の表示部の表示を中止させても支障がなく、かつ第１の表示部の表示を中止させることにより省電力化を図ることができるからである。【００２７】
更に他の態様に係る発明は、撮像部が撮像したライブビュー画像と設定部により設定された撮像条件を含むカメラ情報とを表示するデジタルカメラにおいて、カメラ本体の一壁面に配設され、かつカメラ本体との相対的な姿勢関係が回動によって変更可能な第１の表示部と、第１の表示部の回動とは独立してカメラ本体に配設された第２の表示部と、第１の表示部と第２の表示部の相対的な姿勢関係を検出する姿勢検出部と、第１の表示部に少なくともライブビュー画像を表示させ、第２の表示部にカメラ情報、画面内の被写体の位置を表す画像、またはカメラ情報及び画面内の被写体の位置を表す画像の両方を表示させることが可能な表示制御部と、第１の表示部の表示画面を照射する光の強度を直接的または間接的に検出する照度検出部と、を備え、表示制御部は、第２の表示部に表示させるカメラ情報、画面内の被写体の位置を表す画像、またはカメラ情報及び画面内の被写体の位置を表す画像の両方の表示形態を、照度検出部により検出された第１の表示部の表示画面を照射する光の強度と、姿勢検出部により検出された第１の表示部と第２の表示部の相対的な姿勢関係とに応じて自動的に変更する。ここで、画面内の被写体の位置を表す画像とは、ライブビュー画像、ライブビュー画像の一部をトリミングした画像、ライブビュー画像を縮小した画像、ライブビュー画像を２値化した２値画像、ライブビュー画像のコントラストを増加させた画像、画面内の被写体の位置を模式的に表した図形画像、複数の被写体位置を模式的に表した図形の組み合わせ画像、被写体の画面端からの距離を表した配置画像、被写体の画面中心からのズレを表す配置画像等、被写体位置を確認できる画像や模式化した画像情報を指す。【００２８】
本発明の更に他の態様に係るデジタルカメラにおいて、表示制御部は、照度検出部により検出された光の強度が設定値に満たない場合、または姿勢検出部により検出された相対的な姿勢関係が、第１の表示部及び第２の表示部の表示画面を同時に視認不能な姿勢関係にある場合には、第１の表示部に少なくともライブビュー画像を表示させ、第２の表示部にカメラ情報を表示させ、照度検出部により検出された光の強度が設定値を満たし、かつ姿勢検出部により検出された相対的な姿勢関係が、第１の表示部及び第２の表示部の表示画面を同時に視認可能な姿勢関係にある場合には、第２の表示部に少なくとも画面内の被写体の位置を表す画像を表示させる。【００２９】
本発明の更に他の態様に係るデジタルカメラにおいて、画面内の被写体の位置を表す画像は、ライブビュー画像、ライブビュー画像を２値化した２値画像、ライブビュー画像内の主要被写体の位置を示す指標、及びライブビュー画像内の主要被写体を拡大した画像のうちの少なくともライブビュー画像を含む２種類以上の画像であり、表示制御部は、第１の表示部及び第２の表示部の表示画面を同時に視認可能な姿勢関係にある場合の視認可能なレベルにより、ライブビュー画像を第２の表示部に表示させるか、又は２以上の画像中のライブビュー画像以外の画像を第２の表示部に表示させるかを切り替える。【００３０】
本発明の更に他の態様に係るデジタルカメラにおいて、画面内の被写体の位置を表す画像は、ライブビュー画像、ライブビュー画像を２値化した２値画像、ライブビュー画像内の主要被写体の位置を示す指標、及びライブビュー画像内の主要被写体を拡大した画像のうちの少なくともライブビュー画像を含む２種類以上の画像であり、表示制御部は、第１の表示部及び第２の表示部の表示画面を同時に視認可能な姿勢関係にある場合の視認可能なレベルにより、２種類以上の画像のうちのいずれの画像を第２の表示部に表示させるかを切り替える。【００３１】
本発明の更に他の態様に係るデジタルカメラにおいて、画面内の被写体の位置を表す画像は、ライブビュー画像、ライブビュー画像を２値化した２値画像、ライブビュー画像内の主要被写体の位置を示す指標、及びライブビュー画像内の主要被写体を拡大した画像のうちの少なくともライブビュー画像を含む２種類以上の画像であり、表示制御部は、光の強度が設定値を満たしている場合の光の強度レベルにより、ライブビュー画像を第２の表示部に表示させるか、又は２種類以上の画像中のライブビュー画像以外の画像を第２の表示部に表示させるかを切り替える。【００３２】
本発明の更に他の態様に係るデジタルカメラにおいて、画面内の被写体の位置を表す画像は、ライブビュー画像、ライブビュー画像を２値化した２値画像、ライブビュー画像内の主要被写体の位置を示す指標、及びライブビュー画像内の主要被写体を拡大した画像のうちの少なくともライブビュー画像を含む２種類以上の画像であり、表示制御部は、光の強度が設定値を満たしている場合の光の強度レベルにより、２種類以上の画像のうちのいずれの画像を第２の表示部に表示させるかを切り替える。【００３３】
更に他の態様に係る発明は、撮像部が撮像したライブビュー画像と設定部により設定された撮像条件を含むカメラ情報とを表示するデジタルカメラの表示方法において、カメラ本体の一壁面に配設され、かつカメラ本体との相対的な姿勢関係が回動によって変更可能な第１の表示部と、第１の表示部の回動とは独立してカメラ本体に配設された第２の表示部との相対的な姿勢関係を検出するステップと、第１の表示部の表示画面を照射する光の強度を直接的または間接的に検出するステップと、第１の表示部及び第２の表示部の少なくとも一方に、ライブビュー画像、カメラ情報、またはカメラ情報及びライブビュー画像の両方を表示させるステップであって、第１の表示部及び第２の表示部の少なくとも一方に表示させるライブビュー画像、カメラ情報、またはカメラ情報及びライブビュー画像の両方の表示形態を、検出された第１の表示部の表示画面を照射する光の強度と、検出された第１の表示部と第２の表示部の相対的な姿勢関係とに応じて自動的に変更させるステップと、を含む。【００３４】
更に他の態様に係る発明は、撮像部が撮像したライブビュー画像と設定部により設定された撮像条件を含むカメラ情報とを表示するデジタルカメラの表示方法において、カメラ本体の一壁面に配設され、かつカメラ本体との相対的な姿勢関係が回動によって変更可能な第１の表示部と、第１の表示部の回動とは独立してカメラ本体に配設された第２の表示部との相対的な姿勢関係を検出するステップと、第１の表示部の表示画面を照射する光の強度を直接的または間接的に検出するステップと、第１の表示部に少なくともライブビュー画像を表示させ、第２の表示部にカメラ情報、画面内の被写体の位置を表す画像、またはカメラ情報及び画面内の被写体の位置を表す画像の両方を表示させるステップであって、第２の表示部に表示させるカメラ情報、画面内の被写体の位置を表す画像、またはカメラ情報及び画面内の被写体の位置を表す画像の両方の表示形態を、検出された第１の表示部の表示画面を照射する光の強度と、検出された第１の表示部と第２の表示部の相対的な姿勢関係とに応じて自動的に変更させるステップと、を含む。
【発明の効果】
【００３５】
本発明によれば、第１の表示部と第２の表示部とは、少なくとも第１の表示部がカメラ本体に対して回動することにより相対的な姿勢関係が変化し、両者の表示画面を同時に視認可能な姿勢関係になり、また、第１の表示部は、表示画面を照射する光の強度により見にくくなる場合があるが、この場合、第１の表示部及び第２の表示部の少なくとも一方の表示形態を変更するようにしたため、第１の表示部の表示画面が見にくい場合でも、視線方向を変えるだけで第２の表示部の表示画面に表示される、表示形態の変更後の情報を視認することができる。また、ライブビュー画像の表示が可能な第１の表示部は、カメラ本体との相対的な姿勢関係を回動によって変更することができるため、ローアングルのフレーミングを行う場合でもライブビュー画像が見やすく、良好にフレーミングを行うことができる。
【図面の簡単な説明】
【００３６】
【図１】本発明に係るデジタルカメラの第１の実施形態を示す外観図であり、デジタルカメラを斜め後方から見た斜視図
【図２】デジタルカメラの内部構成の実施形態を示すブロック図
【図３】図２に示した表示制御部の第１の実施形態を示すブロック図
【図４】第１の表示部に表示されるカラーのライブビュー画像を示す図
【図５】第１の表示部に表示されるモノクロのカメラ情報を示す図
【図６】第２の表示部に表示されるモノクロのカメラ情報を示す図
【図７】第１の表示部に表示されるモノクロのカメラ情報が重畳されたカラーのライブビュー画像を示す図
【図８】第２の表示部に表示される２値画像のライブビュー画像を示す図
【図９】第２の表示部に表示されるグレースケールのライブビュー画像を示す図
【図１０】第２の表示部に表示される主要被写体を拡大したライブビュー画像を示す図
【図１１】人物の顔の位置を示す顔枠及びグリッドを表示する第２の表示部の表示画面の一例を示す図
【図１２】集合写真に含まれる複数の人物を表示する第２の表示部の表示画面の一例を示す図
【図１３】本発明に係るデジタルカメラの第２の実施形態を示す外観図であり、デジタルカメラを斜め後方から見た斜視図
【図１４】本発明に係るデジタルカメラの第２の実施形態を示す外観図であり、第１の表示部の姿勢が、図１３に示した第２の表示部の姿勢と異なる図
【図１５】本発明に係るデジタルカメラの第３の実施形態を示す外観図であり、デジタルカメラを斜め後方から見た斜視図
【図１６】本発明に係るデジタルカメラの第３の実施形態を示す外観図であり、第１の表示部及び第２の表示部の姿勢が、図１５に示した第２の表示部の姿勢と異なる図
【図１７】本発明に係るデジタルカメラの表示方法の実施形態を示すフローチャート
【発明を実施するための形態】
【００３７】
以下、添付図面に従って本発明に係るデジタルカメラ及びデジタルカメラの表示方法の好ましい実施の形態について説明する。
【００３８】
＜デジタルカメラの外観＞
図１は本発明に係るデジタルカメラの第１の実施形態を示す外観図であり、デジタルカメラを斜め後方から見た斜視図である。
【００３９】
図１に示すデジタルカメラ１は、交換レンズ１０と、交換レンズ１０が着脱自在なカメラ本体２０とから構成されたミラーレスのデジタル一眼カメラであるが、これに限らず、レンズ交換が不能なレンズ一体型のデジタルカメラでもよい。
【００４０】
カメラ本体２０の一壁面である背面には、主として板状の第１の表示部２２、露出補正ダイヤル２４、シャッタースピードダイヤル２６、インジケーターランプ２８、図示しない再生ボタン、上下左右キーからなるマルチファンクションの十字キー、及びＭＥＮＵ／ＯＫボタン等が設けられている。
【００４１】
また、カメラ本体２０の上面には、主としてシャッターボタン３０、第２の表示部３２、及びポップアップ式のフラッシュ３４等が設けられている。
【００４２】
第１の表示部２２は、本例では透過型のカラー液晶表示器であり、カメラ本体２０に対してヒンジ２２Ａにより約１８０°の範囲内で回動可能に配設された、いわゆるバリアングル液晶表示器である。また、第１の表示部２２の表示画面と同一平面上には、表示画面を照射する光の強度（照度）を検出する照度センサ（照度検出部）２３が配設されている。
【００４３】
第１の表示部２２は、撮影モード時にライブビュー画像、又はライブビュー画像とシャッタースピード、絞り値等の撮像条件を含むカメラ情報とを重畳して表示したり、再生モード時に撮影した画像を再生表示する他、各種のメニュー画面を表示する表示部として機能する。尚、第１の表示部２２は、約１８０°回動させることにより、自分撮り用に使用することができる。
【００４４】
第２の表示部３２は、本例では反射型のモノクロ液晶表示器であり、第１の表示部２２の回動とは独立して、カメラ本体２０の上面と面一になるように固定して配置されている。
【００４５】
第１の表示部２２は、透過型のカラー液晶表示器であるため、表示画面を照射する光の強度（照度）が大きくなると（設定値を満たすと）、表示画面が見にくくなる場合がある。例えば、透過型のカラー液晶表示器のバックライトの強度を最大にしても、例えば日中屋外光に相当する光が表示画面に入射すると、透過型のカラー液晶表示器の表示画面は見にくくなる。
【００４６】
一方、第２の表示部３２は、反射型のモノクロ液晶表示器であるため、外部が暗い場合には表示画面が見にくくなるが、表示画面を照射する光の強度（照度）が大きくなることにより表示画面が見にくくなることはない。
【００４７】
また、第１の表示部２２は、カメラ情報を表示する第２の表示部３２よりも大型である。第１の表示部２２は、主として画像を表示するため、画像を見やすくするためである。
【００４８】
露出補正ダイヤル２４は、露出値ＥＶ（Exposure value）を補正するダイヤルであり、ダイヤルを回転させることにより、−３ＥＶ〜＋３ＥＶの範囲内で（１／３）ＥＶ刻みで露出補正値を設定する。
【００４９】
シャッタースピードダイヤル２６は、シャッタースピード優先ＡＥ（ＡＥ：Automatic Exposure）モードが設定されているときに、ダイヤルの回転位置に応じて所望のシャッタースピードを設定したり、プログラムＡＥや絞り優先ＡＥの設定に使用される。
【００５０】
露出補正ダイヤル２４により設定される露出補正値、及びシャッタースピードダイヤル２６により設定されるシャッタースピード等は、第２の表示部３２に表示される。即ち、撮影者は、第２の表示部３２の表示画面を見ながら露出補正ダイヤル２４又はシャッタースピードダイヤル２６を操作し、露出補正値又はシャッタースピード等を設定することができる。
【００５１】
インジケーターランプ２８は、緑色、橙色、赤色等のランプの点灯又は点滅により、カメラの状態（ピント状態、手ブレ、画像の記録等の状態）を報知する。
【００５２】
再生ボタンは、撮影記録した静止画又は動画を第１の表示部２２に表示させる再生モードに切り替えるためのボタンである。ＭＥＮＵ／ＯＫボタンは、第１の表示部２２の表示画面上にメニューを表示させる指令を行うためのＭＥＮＵボタンとしての機能と、選択内容の確定及び実行などを指令するＯＫボタンとしての機能とを兼備した操作ボタンある。十字キーは、上下左右の４方向の指示を入力する操作キーであり、メニュー画面から項目を選択したり、各メニューから各種設定項目の選択を指示したりする選択キーとして機能する。
【００５３】
＜デジタルカメラの内部構成＞
図２はデジタルカメラ１の内部構成の実施形態を示すブロック図である。
【００５４】
図２に示すデジタルカメラ１は、前述した照度センサ２３を有する第１の表示部２２及び第２の表示部３２の他に、撮像部４０、信号処理部４２、画像記録再生部４４、操作部４６、通信部４８、表示制御部５０、第１の角度検出部６０、第２の角度検出部６２、判別部６４及び中央処理装置（ＣＰＵ：Central Processing Unit）７０を備えている。
【００５５】
撮像部４０は、画像信号を入力する画像入力部であり、交換レンズ１０、図示しない撮像素子、及びアナログフロントエンド等から構成されている。尚、撮像素子がＣＭＯＳ型撮像素子である場合は、アナログフロントエンドは撮像素子内に内蔵されていることが多い。
【００５６】
撮像素子は、ＣＭＯＳ(Complementary Metal-Oxide Semiconductor)型のカラーイメージセンサにより構成されている。尚、撮像素子は、ＣＭＯＳ型に限らず、ＸＹアドレス型、又はＣＣＤ（Charge Coupled Device）型のイメージセンサでもよい。また、撮像素子は、所定のパターン配列（ベイヤー配列、ＧストライプＲ／Ｇ完全市松、Ｘ−Ｔｒａｎｓ（登録商標）配列、ハニカム配列等）でマトリクス状に配置された複数画素によって構成され、各画素はマイクロレンズ、赤（Ｒ）、緑（Ｇ）又は青（Ｂ）のカラーフィルタ及び光電変換部（フォトダイオード等）を含んで構成される。
【００５７】
交換レンズ１０の撮影光学系によって撮像素子の受光面に結像された被写体の光学像は、撮像素子によって電気信号に変換される。変換された電気信号は、撮像部４０内のアナログフロントエンドにより色分離、ゲイン調整及びアナログ−デジタル変換等の処理が行われ、ＲＧＢの画素毎の画像データ（モザイク画像データ）として信号処理部４２に出力される。
【００５８】
信号処理部４２は、撮像部４０から入力する画像データに対して、各種のデジタル信号処理を施す。本例の信号処理部４２は、入力する画像データに対してオフセット処理、ホワイトバランス補正、感度補正を含むゲイン・コントロール処理、ガンマ補正処理、デモザイク処理（デモザイキング処理）、ＲＧＢ／ＹＣ変換処理等のデジタル信号処理を行う。
【００５９】
画像記録再生部４４は、圧縮伸張処理部及びメディア制御部を含み、圧縮伸張処理部は、画像データの記録時にＲＧＢ／ＹＣ変換処理によりＲＧＢの画像データから輝度データ（Ｙ）及び色差データ（Ｃｒ，Ｃｂ）に変換された非圧縮の画像データ（Ｙ、Ｃｒ，Ｃｂ）を所定の圧縮フォーマット（例えば、静止画はＪＰＥＧ（Joint Photographic Experts Group）形式、動画はＨ２６４等）で圧縮し、画像再生時にメモリカードに記録された圧縮された画像データを非圧縮の画像データ（Ｙ、Ｃｒ，Ｃｂ）に伸張処理する。メディア制御部は、画像記録時に圧縮伸張処理部で圧縮された画像データを、メモリカードに記録する制御を行い、画像再生時にメモリカードから、圧縮された画像データを読み出す制御を行う。
【００６０】
操作部４６は、露出補正ダイヤル２４、シャッタースピードダイヤル２６、シャッターボタン３０、再生ボタン、十字キー、及びＭＥＮＵ／ＯＫボタン等を含み、シャッタースピード、絞り値等の撮像条件を設定する設定部として機能し得る。
【００６１】
通信部４８は、メモリカードに保存した画像データをスマートフォン、又はプリンタ等に近距離無線により送信する部分である。
【００６２】
第１の表示部２２に設けられた照度センサ２３は、第１の表示部２２の表示画面を照射する光の強度（照度）を検出し、検出した照度を示す検出信号をＣＰＵ７０に出力する。尚、照度センサ２３は、第１の表示部２２の表示画面上に配設される場合に限らず、カメラ本体２０の背面以外の面に配設されたものでもよい。また、カメラ本体２０は、シャッタースピード及び／又は絞り値を自動的に制御する自動露出制御機能を有し、自動露出制御を行うために被写体の明るさの情報（露出値（ＥＶ値））を、撮像した画像データの輝度値と撮像時のシャッタースピード、絞り値等の撮像条件とに基づいて取得している。このＥＶ値を取得する部分を、照度センサ２３の代わりに第１の表示部２２の表示画面を照射する光の強度を間接的に検出する照度検出部としてもよい。この場合、取得したＥＶ値が、第１の表示部２２の表示画面を照射する光の強度を示す情報として使用される。
【００６３】
第１の角度検出部６０は、バリアングル液晶表示器である第１の表示部２２の表示画面とカメラ本体２０の背面とのなす角度を検出するものであり、カメラ本体２０の上面（カメラ本体２０の背面と直交する上面）に固定して配設された第２の表示部３２との相対的な姿勢関係を検出する姿勢検出部として機能する。
【００６４】
第２の角度検出部６２は、第２の表示部３２がカメラ本体２０に対して回動可能なバリアングル液晶表示器の場合、第２の表示部３２の表示画面とカメラ本体２０の上面とのなす角度を検出するものである。この場合、第１の角度検出部６０と第２の角度検出部６２とが、第１の表示部２２と第２の表示部３２との相対的な姿勢関係を検出する姿勢検出部として機能する。
【００６５】
判別部６４は、第１の角度検出部６０により検出された角度（即ち、第１の表示部２２と第２の表示部３２との相対的な姿勢関係）に基づいて第１の表示部２２の表示画面と第２の表示部３２の表示画面とが同時に視認不能な姿勢関係（第１の姿勢関係）にあるか、又は同時に視認可能な姿勢関係（第２の姿勢関係）にあるかを判別する。尚、第２の表示部３２もバリアングル液晶表示器の場合には、第１の角度検出部６０及び第２の角度検出部６２によりそれぞれ検出された角度に基づいて第１の姿勢関係にあるか、又は第２の姿勢関係にあるかを判別する。
【００６６】
例えば、ローアングルの撮影を行う場合、第１の表示部２２に表示されるライブビュー画像を見やすくするために、撮影者は、第１の表示部２２の表示画面が上向きになるように第１の表示部２２を回動させる。
【００６７】
第１の表示部２２を回動させた結果、第１の角度検出部６０により検出される角度が９０°になると、第１の表示部２２の表示画面と第２の表示部３２の表示画面とは互いに平行になり、撮影者は、第１の表示部２２の表示画面と第２の表示部３２の表示画面とを同時に視認することができる。
【００６８】
判別部６４は、第１の角度検出部６０により検出される角度が、９０°になる場合に限らず、設定された角度範囲（９０°−α〜９０°＋β）の角度の場合、第１の表示部２２の表示画面と第２の表示部３２の表示画面とが同時に視認可能な第２の姿勢関係にあると判別し、設定された角度範囲以外の角度の場合、第１の表示部２２の表示画面と第２の表示部３２の表示画面とが同時に視認不能な第１の姿勢関係にあると判別する。尚、角度範囲を規定するα、βは、それぞれ３０°程度とすることができるが、ユーザ設定によりカスタマイズできるようにしてもよい。
【００６９】
判別部６４により判別された判別結果（第１の表示部２２の表示画面と第２の表示部３２の表示画面とが同時に視認不能な第１の姿勢関係にあるか、又は同時に視認可能な第２の姿勢関係にあるかを示す判別結果）は、ＣＰＵ７０に出力される。
【００７０】
表示制御部５０は、デジタルカメラ１が撮影モードに設定されている場合、通常、第１の表示部２２にライブビュー画像、又はライブビュー画像とカメラ情報を表示させ、第２の表示部３２にカメラ情報を表示させるが、照度センサ２３により検出される照度と判別部６４での判別結果とにより定まる一定の条件下で、第１の表示部２２及び第２の表示部３２の少なくとも一方の表示形態を自動的に変更させる。尚、表示制御部５０の詳細については後述する。
【００７１】
ＣＰＵ７０は、カメラ本体２０全体の動作及び交換レンズ１０の光学部材の駆動等を統括制御するもので、シャッターボタン３０を含む操作部４６等からの入力と、図示しないＲＯＭ（Read Only Memory）に格納されているカメラ制御プログラム、及び画像処理に使用する各種のパラメータやテーブルに基づいてカメラ本体２０の各部及び交換レンズ１０を制御する。
【００７２】
撮影モード（静止画撮影モード）が設定されると、ＣＰＵ７０は、ライブビュー画像を表示させるための処理を各部に実行させる。即ち、ＣＰＵ７０は、撮像部４０により予め設定されたフレームレート（３０ｆｐｓ，６０ｆｐｓ）の各フレームの撮影を行わせ、撮影したフレーム毎の画像データの信号処理を信号処理部４２に行わせる。信号処理部４２により連続的に生成される画像データは、表示制御部５０に送られる。表示制御部５０は、信号処理部４２から順次入力するフレーム毎の画像データを表示用の信号形式に変換して、第１の表示部２２に出力する。これにより、撮像部４０による撮影範囲内の被写体像を示すライブビュー画像が第１の表示部２２に表示され、撮影者は、第１の表示部２２に表示されたライブビュー画像を見ながら、静止画撮影を行う際のフレーミングを行うことができる。
【００７３】
シャッターボタン３０は、撮影の指示を入力するための操作手段であり、いわゆる「半押し」と「全押し」とからなる２段ストローク式のスイッチで構成されている。静止画撮影モードの場合、シャッターボタン３０が半押しされることによってＳ１オンの信号、半押しから更に押し込む全押しがされることによってＳ２オンの信号が出力され、Ｓ１オン信号が出力されると、カメラ本体２０は、自動焦点調節や自動露出制御などの撮影準備処理を実行し、Ｓ２オン信号が出力されると、静止画の撮影処理及び記録処理を実行する。
【００７４】
また、動画撮影モードの場合、シャッターボタン３０が全押しされることによってＳ２オンの信号が出力されると、カメラ本体２０は、動画の記録を開始する動画記録モードになり、動画の画像処理及び記録処理を実行し、その後、シャッターボタン３０が再び全押しされることによってＳ２オンの信号が出力されると、カメラ本体２０は、スタンバイ状態になり、動画の記録処理を一時停止する。
【００７５】
［表示制御部］
＜表示制御部の第１の実施形態＞
図３は、図２に示した表示制御部５０の第１の実施形態を示すブロック図である。
【００７６】
図３に示すように表示制御部５０は、主として表示用データ生成部５１、画像合成部５２、２値化回路５３、キャラクタジェネレータ５４、カメラ情報生成部５５、及び表示切替え部５６から構成されている。
【００７７】
表示制御部５０は、第１の表示部２２等にライブビュー画像、撮影した静止画、又はメモリカードから読み出した画像等を表示させるが、以下、ライブビュー画像を表示させる場合の各部の動作について説明する。
【００７８】
表示制御部５０は、ＣＰＵ７０を介して照度センサ２３から入力する照度を示す検出信号及び判別部６４から入力する判別結果に基づいて、第１の表示部２２及び第２の表示部３２の少なくとも一方に表示させるライブビュー画像、カメラ情報、またはライブビュー画像及びカメラ情報の両方の表示形態を自動的に変更させる。
【００７９】
即ち、本例の表示制御部５０は、照度センサ２３から入力する照度を示す検出信号及び判別部６４から入力する判別結果により、第１の表示部２２の表示画面を照射する光の照度が設定値に満たない場合（第１の表示部２２の視認性を低下させない強度である場合）、又は第１の表示部２２の表示画面と第２の表示部３２の表示画面とが同時に視認不能な第１の姿勢関係にあることが判別される場合には、第１の表示部２２に少なくともライブビュー画像を表示させ、第２の表示部３２にカメラ情報を表示させる、通常の表示形態（第１の表示形態）の表示を行わせる。
【００８０】
一方、表示制御部５０は、第１の表示部２２の表示画面を照射する光の照度が設定値を満たし（第１の表示部２２の視認性を低下させる強度であり）、かつ第１の表示部２２の表示画面と第２の表示部３２の表示画面とが同時に視認可能な第２の姿勢関係にあることが判別される場合には、少なくとも第２の表示部３２にフレーミングを支援する情報を表示させる、第２の表示形態の表示を行わせる。
【００８１】
まず、表示制御部５０により第１の表示部２２及び第２の表示部３２に通常の表示形態である第１の表示形態の表示を行わせる場合について説明する。
【００８２】
表示用データ生成部５１は、ライブビュー画像を表示させる場合、撮像部４０により撮像され、信号処理部４２により信号処理されたフレーム毎のＲＧＢの画像データを順次入力し、入力するフレーム毎の画像データに基づいて第１の表示部２２のカラードットマトリックスに対応する表示用の信号形式に変換した表示用データを生成する。
【００８３】
表示用データ生成部５１により生成された表示用データは、画像合成部５２に出力される。図４に、表示用データ生成部５１により生成された表示用データに対応する画像の一例を示す。
【００８４】
キャラクタジェネレータ５４は、操作部４６により設定される露出補正値、シャッタースピード等の各種の撮像条件を含むカメラ情報を示すアイコン、文字及び数字のフォントが格納されたＲＯＭを有し、第２の表示部３２に表示させるカメラ情報に対応する各種のアイコン、文字及び数字のフォントをＲＯＭから読み出し、カメラ情報生成部５５に出力する。
【００８５】
カメラ情報生成部５５は、第１の表示部２２及び第２の表示部３２にそれぞれ表示させるカメラ情報を示す第１の表示用データ及び第２の表示用データを生成する部分であり、キャラクタジェネレータ５４から入力するカメラ情報に対応する各種のアイコン、文字及び数字のフォントのサイズ、及び画面内の配置を調整して、カメラ情報を示す第１の表示用データ及び第２の表示用データを生成する。尚、カメラ情報を示す第１の表示用データ及び第２の表示用データは、それぞれモノクロの２値画像を示すデータである。
【００８６】
カメラ情報生成部５５により生成されたカメラ情報を示す第１の表示用データは、画像合成部５２に出力され、第２の表示用データは、表示切替え部５６に出力される。
【００８７】
図５及び図６は、それぞれカメラ情報生成部５５により生成されたカメラ情報を示す第１の表示用データ及び第２の表示用データに基づいて第１の表示部２２及び第２の表示部３２に表示される画面の一例を示す図である。
【００８８】
図５及び図６に示すように、カメラ情報を示す第１の表示用データ及び第２の表示用データは、カメラ情報を示す各種のアイコン、文字及び数字のフォントのサイズ、及び画面内の配置が異なっている。
【００８９】
図５に示す各種のカメラ情報を示すアイコン、文字及び数字の意味は、以下の通りである。
【００９０】
Ｉ１…露出補正バー／露出インジケータ
Ｉ２…測光モード（マルチ測光モード）を示すアイコン
Ｉ３…マナーモード（操作音及びフラッシュ発光ＯＦＦ）を示すアイコン
Ｉ４…メモリカードに記録可能な撮影可能枚数（３５２）
Ｉ５…記録する画像サイズ（Ｌ(Large))／記録する画像の圧縮率(Ｆ(FINE))
Ｉ６…ＲＡＷ画像及びＪＰＥＧ画像の記録
Ｉ７…撮影する画像のダイナミックレンジ（１００％）
Ｉ８…フィルムシミュレーション（Ｖ(Vivid)）を示すアイコン
Ｉ９…ホワイトバランスの設定（光源種：蛍光灯１）を示すアイコン
Ｉ１０…バッテリー残量を示すアイコン
Ｉ１１…ＩＳＯ感度（ＩＳＯ１６００）
Ｉ１２…絞り値（Ｆ５．６）
Ｉ１３…シャッタースピード（１／１２５）
Ｉ１４…撮影モード（Ｍ：Manual）
図６に示す各種のカメラ情報の表示内容は、図５に示した各種のカメラ情報の表示内容と略同じであるが、画面内のレイアウトが異なり、また、高速連写（Ｈ(High))を示すカメラ情報（アイコンＩ１５）が追加されている。
【００９１】
図３において、画像合成部５２は、表示用データ生成部５１から入力するカラーのライブビュー画像を示す表示用データ（図４参照）と、カメラ情報生成部５５から入力するカメラ情報を示すモノクロの第１の表示用データ（図５参照）とを合成する。これにより、カラーのライブビュー画像にモノクロのカメラ情報を重畳した画像に対応する表示用データが生成される。
【００９２】
画像合成部５２により合成された表示用データは、第１の表示部２２に出力される。第１の表示部２２は、入力した表示用データに基づいて、図７に示すようにカラーのライブビュー画像（図４）にモノクロのカメラ情報（図５）が重畳されたカラーのライブビュー画像を表示する。
【００９３】
撮影者は、第１の表示部２２に表示されたカラーのライブビュー画像により撮影範囲を把握することができ、これにより撮影範囲を決定するフレーミングを行うことができる。また、第１の表示部２２には、モノクロのカメラ情報も表示されているため、撮影者は、現在設定されている撮像条件等も確認することができる。
【００９４】
一方、カメラ情報生成部５５から第２の表示用データを入力する表示切替え部５６の他の入力には、後述するように２値化回路５３からのデータが入力可能になっている。
【００９５】
表示切替え部５６は、２つの入力データのうちの何れか一方のデータを選択し、選択したデータを第２の表示部３２に出力するが、照度センサ２３から入力する照度を示す検出信号及び判別部６４から入力する判別結果により、照度センサ２３から入力する照度を示す検出信号及び判別部６４から入力する判別結果に基づいて、第１の表示部２２の表示画面を照射する光の照度が、第１の表示部２２の視認性を低下させない強度であること、又は第１の表示部２２の表示画面と第２の表示部３２の表示画面とが同時に視認不能な第１の姿勢関係にあることが判別されると、カメラ情報生成部５５から入力する第２の表示用データを選択し、選択した第２の表示用データを第２の表示部３２に出力する。
【００９６】
第２の表示部３２は、第１の表示形態の場合、カメラ情報生成部５５から表示切替え部５６を介して入力した第２の表示用データに基づいて、図６に示すように各種のカメラ情報を示すアイコン、文字及び数字が配置されたモノクロ画像を表示する。これにより、撮影者は、第２の表示部３２に表示されたモノクロ画像（カメラ情報）により現在設定されている撮像条件等を確認することができる。
【００９７】
次に、表示制御部５０により第１の表示部２２及び第２の表示部３２に、一定の条件下での表示形態である第２の表示形態の表示を行わせる場合について説明する。
【００９８】
一定の条件とは、第１の表示部２２の表示画面を照射する光の照度が設定値を満たし（第１の表示部２２の視認性を低下させる強度であり）、かつ第１の表示部２２の表示画面と第２の表示部３２の表示画面とが同時に視認可能な第２の姿勢関係にある条件をいう。
【００９９】
一定の条件下では、第１の表示部２２の表示画面を照射する光の照度（例えば、日中屋外光の照度）により第１の表示部２２の表示画面が見にくく、一方、照度が高くても視認性が低下しない第２の表示部３２の表示画面は、第１の表示部２２の表示画面と同時に視認可能な第２の姿勢関係にあり、視線方向を変えるだけで第２の表示部の表示画面に表示される情報を視認可能になっている。
【０１００】
一定の条件下での表示形態である第２の表示形態の場合、第２の表示部３２にフレーミングを支援する情報（「画面内の被写体の位置を表す画像」とも言う）を表示させる。
【０１０１】
表示制御部５０の第１の実施形態では、フレーミングを支援する情報として、モノクロの２値画像を第２の表示部３２に表示させる。
【０１０２】
２値化回路５３には、信号処理部４２により信号処理されたフレーム毎のＲＧＢの画像データが順次入力しており、２値化回路５３は、ＲＧＢの画像データから輝度データを生成し、生成した輝度データを閾値により２値化した２値画像データであって、第２の表示部３２のドットマトリックスに対応する２値画像データに変換する。尚、２値化回路５３は、信号処理部４２によりＲＧＢ／ＹＣ変換処理された輝度データを直接入力するようにしてもよい。
【０１０３】
２値化回路５３での２値化に使用する閾値は、輝度データが８ビット（０〜２５５）の階調を有する場合、例えば、８ビットの階調の２分の１の値（１２８）を使用することができる。この場合、２値化回路５３は、輝度データが１２８未満の画素は０に変換し、１２８以上の画素は１に変換して、２値画像データを生成する。尚、閾値は１２８に限らず、例えば、輝度データの１画面の平均輝度値、又は撮影者が適宜設定した値等を使用することができる。
【０１０４】
２値化回路５３により生成された表示用の２値画像データは、表示切替え部５６に出力される。
【０１０５】
表示切替え部５６は、第２の表示部３２の表示形態を、カメラ情報を表示する第１の表示形態から、フレーミングを支援する情報を表示する第２の表示形態に切り替える場合、２値化回路５３から入力する２値画像データを選択し、選択した２値画像データを第２の表示部３２に出力する。
【０１０６】
第２の表示部３２は、上記のように第２の表示形態の場合、２値化回路５３から表示切替え部５６を介して入力した２値画像データに基づいて、図８に示すようにライブビュー画像を示す２値画像を表示する。
【０１０７】
これにより、撮影者は、第１の表示部２２に表示されたライブビュー画像が見にくい場合、視線方向を変えるだけで第２の表示部３２に表示された２値画像のライブビュー画像を視認することができ、この２値画像を見ながらフレーミングを行うことができる。
【０１０８】
尚、本例の第１の表示部２２の表示画面の縦横比は、３：４であるのに対し、第２の表示部３２の表示画面の縦横比は、約１：２であるため、２値化回路５３は、第２の表示部３２の表示画面の両端部分をマスキングし、２値画像の縦横比を第１の表示部２２の表示画面の縦横比に合わせる２値画像データを出力している。
【０１０９】
また、本例では、第２の表示形態の場合、第２の表示部３２の表示内容を、図６に示したカメラ情報に代えて、図８に示すライブビュー画像を示す２値画像に切り替えるようにしたが、図８に示したカメラ情報（カメラ情報の一部を含む）を第２の表示部３２のマスキングした領域等に表示するようにしてもよい。
【０１１０】
更に、本実施形態の第１の表示部２２は、図７に示したようにカメラ情報が重畳されたカラーのライブビュー画像を表示しているが、これに限らず、カメラ情報を重畳させずにライブビュー画像のみを表示し、又は特定の種類のカメラ情報のみが重畳されたカラーのライブビュー画像を表示するようにしてもよい。
【０１１１】
更にまた、本実施形態では、第１の表示形態から第２の表示形態に切り替えられた場合、第１の表示部２２は、引き続きカラーのライブビュー画像を表示しているが、これに限らず、第１の表示部２２の表示画面は、その表示画面を照射する光の照度により見にくくなっているため、省電力化のために第１の表示部２２の表示を中止（第１の表示部２２の電源をＯＦＦにし、又は第１の表示部２２のバックライトを消灯）してもよい。
【０１１２】
＜第２の実施形態＞
第１の実施形態では、一定の条件下で、図８に示す２値画像のライブビュー画像を第２の表示部３２に表示するようにしたが、第２の実施形態は、第２の表示部３２が多階調（例えば、０〜２５５の階調）の画像を表示することができる場合、表示制御部５０は、２値画像のライブビュー画像に代えて、図９に示すように多階調を有するグレースケールのライブビュー画像を第２の表示部３２に表示させる。
【０１１３】
この場合、表示制御部５０は、２値化回路５３を省略し、多階調の輝度データを表示切替え部５６を介して第２の表示部３２に出力する。
【０１１４】
また、第２の実施形態の変形例として、２値画像のライブビュー画像とグレースケールのライブビュー画像とを切り替えるようにしてもよい。
【０１１５】
２値画像のライブビュー画像とグレースケールのライブビュー画像との切り替えは、手動により切り替えるようにしてもよいし、自動的に切り替えてもよい。
【０１１６】
グレースケールのライブビュー画像から２値画像のライブビュー画像に自動的に切り替える条件としては、主要被写体のコントラストが背景のコントラストよりも大きい場合、主要被写体の動きが速い場合、又は画像内に白飛び及び黒潰れが多い場合などが考えられる。
【０１１７】
＜第３の実施形態＞
第３の実施形態では、表示制御部５０は、一定の条件下でライブビュー画像から主要被写体を抽出し、抽出した主要被写体を拡大したライブビュー画像を、第２の表示部３２に表示させる。尚、主要被写体を拡大したライブビュー画像は、２値画像でもよいし、グレースケールでもよい。
【０１１８】
図１０は、主要被写体１００を拡大したライブビュー画像を表示する第２の表示部３２の表示画面の一例を示す図である。
【０１１９】
撮影者は、図１０に示したように第２の表示部３２の表示画面から主要被写体１００が拡大表示されているか否かを容易に視認することができ、第２の表示部３２の表示画面内に主要被写体１００が拡大表示されている場合には、少なくとも主要被写体１００が撮影範囲内に入っていることを認識することができる。
【０１２０】
＜第４の実施形態＞
第４の実施形態では、表示制御部５０は、一定の条件下でライブビュー画像から主要被写体の位置を検出し、ライブビュー画像内の主要被写体の位置を示す指標を、第２の表示部３２に表示させる。
【０１２１】
例えば、ライブビュー画像内に人物の顔が含まれている場合、表示制御部５０は、人物の顔を主要被写体と判断し、人物の顔の位置を示す顔枠を、主要被写体の指標として表示させる。
【０１２２】
図１１は、人物の顔の位置を示す顔枠１１０を表示する第２の表示部３２の表示画面の一例を示す図である。
【０１２３】
また、図１１において、１２０はライブビュー画像の水平方向を示すグリッドであり、１２２はライブビュー画像の垂直方向を示すグリッドであり、顔枠１１０を中心にしてグリッド１２０、１２２を表示している。
【０１２４】
撮影者は、図１１に示したように第２の表示部３２の表示画面から顔枠１１０の位置（主要被写体の位置）を視認することができ、主要被写体が所望の位置に入るようにフレーミングを行うことができる。また、グリッド１２０、１２２により画像の傾き等も把握することができる。
【０１２５】
尚、ライブビュー画像内の主要被写体の位置を示す指標としては、顔枠１１０に限らず、主要被写体の位置で交差するグリッド１２０、１２２、主要被写体の位置を示す矢印等、種々の指標が考えられる。
【０１２６】
＜第５の実施形態＞
第５の実施形態では、表示制御部５０は、一定の条件下でライブビュー画像から集合写真の撮影か否かを判別する。集合写真の撮影か否かは、人物の顔及び顔の向き等を検出し、複数の人物の顔が検出され、かつ検出された複数の顔の向き及び顔の間隔が略同じか否かにより判別することができる。
【０１２７】
表示制御部５０は、集合写真の撮影と判別すると、撮影範囲内の複数の人物のうちの両端の人物を、他の人物とは異なる表示態様で第２の表示部３２に表示させる。
【０１２８】
撮影範囲内の複数の人物のうちの両端の人物と他の人物とを異なる表示態様で表示させる方法としては、例えば、両端の人物の明るさを他の人物の明るさに比べて高くなるように表示させる方法、両端の人物のみを表示させる方法、両端の人物を点滅表示させる方法、又は両端の人物を２値画像で表示させ、他の人物をグレースケールで表示させる方法などが考えられる。
【０１２９】
図１２は、集合写真に含まれる複数の人物を表示する第２の表示部３２の表示画面の一例を示す図である。
【０１３０】
図１２に示す例では、撮影範囲内の複数の人物のうちの両端の人物の明るさを、他の人物の明るさに比べて高くなるように表示させている場合に関して示している。
【０１３１】
撮影者は、図１２に示したように第２の表示部３２の表示画面から撮影範囲内の複数の人物のうちの両端の人物を視認することができ、これにより複数の人物が撮影範囲内に入るように集合写真のフレーミングを行うことができる。
【０１３２】
［デジタルカメラの第２の実施形態］
図１３及び図１４は、それぞれ本発明に係るデジタルカメラの第２の実施形態を示す外観図であり、デジタルカメラを斜め後方から見た斜視図である。尚、図１３及び図１４において、図１に示した第１の実施形態のデジタルカメラ１と共通する部分には同一の符号を付し、その詳細な説明は省略する。
【０１３３】
図１３及び図１４に示す第２の実施形態のデジタルカメラ１−２は、図１に示した第１の実施形態のデジタルカメラ１と比較して、主として第１の表示部２２−２の回動機構が異なる。
【０１３４】
図１３に示すようにカメラ本体２０の背面には、透過型のカラー液晶表示器である板状の第１の表示部２２−２が設けられている。
【０１３５】
第１の表示部２２−２は、カメラ本体２０に対して直交２軸のヒンジ２２−２Ａにより、カメラ本体２０の縦方向の軸（縦軸）の軸回り方向、及び横方向の軸（横軸）の軸回り方向に回転可能なバリアングル液晶表示器であり、図１３に示すように矢印の方向（カメラ本体２０の縦軸の軸回り方向）に１８０°回動すると、第１の表示部２２−２の表示画面をカメラ本体２０の背面と平行にすることができる。
【０１３６】
また、第１の表示部２２−２は、図１４に示すように第１の表示部２２−２が開いた状態で、ヒンジ２２−２Ａの横軸の軸回り方向に３６０°回転することができ、これによりローアングル又はハイアングルでのフレーミング時に表示画面を見やすくできる。
【０１３７】
第２の実施形態のデジタルカメラ１−２の場合、第１の表示部２２−２の表示画面と第２の表示部３２の表示画面との相対的な姿勢関係は、ヒンジ２２−２Ａの直交２軸の各軸回り方向の回転角度により検出することできる。例えば、第１の表示部２２−２が閉じている状態からヒンジ２２−２Ａの縦軸の軸回り方向に第１の表示部２２−２を１８０°回動させ、かつヒンジ２２−２Ａの横軸の軸回り方向（表示画面が上を向く方向）に第１の表示部２２−２を９０°回動させると、第１の表示部２２−２の表示画面と第２の表示部３２の表示画面とは平行になり、かつ両表示画面の向き（表示画面の短辺の方向）も同一方向になる。この場合、第１の表示部２２−２の表示画面を見ている状態から視線方向を移動させるだけで第２の表示部３２の表示画面を視認することができる。
【０１３８】
第２の実施形態のデジタルカメラ１−２の場合、図２に示した判別部６４は、第１の角度検出部６０の代わりに、第１の表示部２２−２の角度を検出する角度検出部（図示せず）であって、ヒンジ２２−２Ａの縦軸の軸回り方向の角度、及び横軸の軸回り方向の角度をそれぞれ検出する角度検出部の各検出出力（即ち、第１の表示部２２−２と第２の表示部３２との相対的な姿勢関係）に基づいて第１の表示部２２−２の表示画面と第２の表示部３２の表示画面とが同時に視認不能な第１の姿勢関係にあるか、又は同時に視認可能な第２の姿勢関係にあるかを判別することが好ましい。
【０１３９】
［デジタルカメラの第３の実施形態］
図１５及び図１６は、それぞれ本発明に係るデジタルカメラの第３の実施形態を示す外観図であり、デジタルカメラを斜め後方から見た斜視図である。尚、図１５及び図１６において、図１に示した第１の実施形態のデジタルカメラ１と共通する部分には同一の符号を付し、その詳細な説明は省略する。
【０１４０】
図１５及び図１６に示す第３の実施形態のデジタルカメラ１−３は、図１に示した第１の実施形態のデジタルカメラ１と比較して、主として第２の表示部３２−２もカメラ本体２０に対して回動可能に設けられている点で相違する。
【０１４１】
図１５及び図１６に示すように、カメラ本体２０の上面には、反射型のモノクロ液晶表示器である板状の第２の表示部３２−２が設けられている。
【０１４２】
第２の表示部３２−２は、カメラ本体２０に対してヒンジ３２−２Ａにより回動可能に配設されたバリアングル液晶表示器である。
【０１４３】
図１５は、第１の表示部２２の表示画面が上方向（カメラ本体２０の上面の方向）に向くように回動させられ、カメラ本体２０の上面に対する第２の表示部３２−２の表示画面の角度が０°（カメラ本体２０の上面と第２の表示部３２−２の表示画面とが面一）になっている状態に関して示している。
【０１４４】
一方、図１６は、カメラ本体２０の背面に対する第１の表示部２２の表示画面の角度が０°（カメラ本体２０の背面と第１の表示部２２の表示画面とが面一）になっており、カメラ本体２０の上面に対する第２の表示部３２−２の角度が約９０°（カメラ本体２０の背面と第２の表示部３２−２の表示画面とが略平行）になっている状態に関して示している。
【０１４５】
第１の表示部２２の表示画面と第２の表示部３２−２の表示画面との相対的な姿勢関係が、図１５又は図１６に示す姿勢関係にある場合、第１の表示部２２の表示画面を見ている状態から視線方向を移動させるだけで第２の表示部３２−２の表示画面を視認することができる。
【０１４６】
このように第１の表示部２２に加えて第２の表示部３２−２も回動する第３の実施形態のデジタルカメラ１−３の場合、図２に示すように第２の表示部３２−２の角度を検出する第２の角度検出部６２（図２の点線で示した第２の角度検出部６２）を設ける必要があり、図２に示した判別部６４は、第１の表示部２２の表示画面の角度を検出する第１の角度検出部６０と第２の表示部３２−２の表示画面の角度を検出する第２の角度検出部６２との各検出出力（即ち、第１の表示部２２と第２の表示部３２−２との相対的な姿勢関係）に基づいて第１の表示部２２の表示画面と第２の表示部３２−２の表示画面とが同時に視認不能な第１の姿勢関係にあるか、又は同時に視認可能な第２の姿勢関係にあるかを判別することが好ましい。
【０１４７】
［デジタルカメラの表示方法］
次に本発明に係るデジタルカメラの表示方法について説明する。
【０１４８】
図１７は本発明に係るデジタルカメラの表示方法の実施形態を示すフローチャートであり、図１に示した第１の実施形態のデジタルカメラ１の表示方法に関して示している。
【０１４９】
図１７において、デジタルカメラ１が撮影モードの場合、第１の角度検出部６０は、第１の表示部２２の表示画面のカメラ背面に対する角度を検出する（ステップＳ１０）。
【０１５０】
続いて、判別部６４は、第１の角度検出部６０により検出された角度（即ち、第１の表示部２２と第２の表示部３２との相対的な姿勢関係）に基づいて第１の表示部２２の表示画面と第２の表示部３２の表示画面とが同時に視認可能な姿勢関係（第２の姿勢関係）にあるか否かを判別する（ステップＳ１２）。
【０１５１】
判別部６４での判別結果により第２の姿勢関係にあることが判別されると（「Yes」の場合）、照度センサ２３は、第１の表示部２２の表示画面を照射する光の強度（照度）を検出する（ステップＳ１４）。
【０１５２】
表示制御部５０は、ＣＰＵ７０を介して照度センサ２３から入力する照度を示す検出信号に基づいて、第１の表示部２２の表示画面を照射する光の照度が設定値を満たしているか否か（即ち、第１の表示部２２の表示画面を照射する光の照度により第１の表示部２２の視認が困難か否か）を判別する（ステップＳ１６）。
【０１５３】
そして、第１の表示部２２に表示されるライブビュー画像の視認が困難であると判別されると（「Yes」の場合）、表示制御部５０は、第１の表示部２２でのライブビュー画像の表示を非表示に切り替える（第１の表示部２２をＯＦＦにし、又はバックライトを消灯する）（ステップＳ１８）。
【０１５４】
同時に、表示制御部５０は、第２の表示部３２にフレーミングを支援する情報（例えば、２値画像のライブビュー画像）を表示させる（ステップＳ２０）。
【０１５５】
これにより、第１の表示部２２の表示画面が明るくて見にくくなり、第１の表示部２２を使用したフレーミングが困難な場合でも、第１の表示部２２の表示画面と同時に視認可能な姿勢関係にある第２の表示部３２の表示画面に表示される２値画像のライブビュー画像を見ながら撮影する画像のフレーミングを行うことができる。
【０１５６】
一方、ステップＳ１２において、第１の表示部２２の表示画面と第２の表示部３２の表示画面とが同時に視認不能な姿勢関係（第１の姿勢関係）にあると判別される場合（「No」の場合）、又はステップＳ１６において、第１の表示部２２の表示画面を照射する光の照度が設定値に満たない場合（第１の表示部２２の視認性を低下させない照度であると判別された場合（「No」の場合））には、表示制御部５０は、第１の表示部２２及び第２の表示部３２に通常の表示形態（第１の表示形態）の表示を行わせる。即ち、第１の表示部２２にカラーで多階調のライブビュー画像を表示させ（ステップＳ２２）、一方、第２の表示部３２に露出補正値、シャッタースピード等の各種の撮像条件を含むカメラ情報を表示させる（ステップＳ２４）。
【０１５７】
上記のステップＳ１０〜ステップＳ２４の処理は、例えば、１フレームごとに繰り返し行われ、これによりライブビュー画像及びフレーミングを支援する情報のうちの少なくとも一方が、第１の表示部２２及び第２の表示部３２の少なくとも一方に表示される。
【０１５８】
尚、図１７に示した各ステップ（特にステップＳ１０〜ステップＳ１６）の処理は、図１７に示した手順にしたがって行う場合に限らず、例えば、ステップＳ１４及びステップＳ１６の処理を、ステップＳ１９及びステップＳ１２の処理に先行して行ってもよいし、ステップＳ１０及びステップＳ１４の処理を行った後、ステップＳ１２及びステップＳ１６の処理を行うようにしてもよい。
【０１５９】
［その他］
本実施形態では、第１の表示部２２、２２−２として、透過型のカラー液晶表示器を使用しているが、これに限らず、有機エレクトロルミネッセンス、半透過型の液晶表示器等の他の表示器を使用してもよい。また、第２の表示部３２、３２−２として、反射型のモノクロ液晶表示器を使用しているが、これに限らず、反射型のカラー液晶表示器、電子ペーパ、メモリ液晶表示器、半透過型の液晶表示器等の他の表示器を使用してもよい。
【０１６０】
また、デジタルカメラは、主として動画を撮影するデジタルビデオカメラを含み、ライブビュー画像は、動画を本撮影しているときの画像を含む。
【０１６１】
更に、「画面内の被写体の位置を表す画像」とは、ライブビュー画像、ライブビュー画像の一部をトリミングした画像、ライブビュー画像を縮小した画像、ライブビュー画像を２値化した２値画像、ライブビュー画像のコントラストを増加させた画像、画面内の被写体の位置を模式的に表した図形画像、複数の被写体位置を模式的に表した図形の組み合わせ画像、被写体の画面端からの距離を表した配置画像、被写体の画面中心からのズレを表す配置画像等、被写体位置を確認できる画像や模式化した画像情報を指すが、これらのライブビュー画像を含む２種類以上の画像を適宜切り替えて第２の表示部に表示させるようにしてもよい。
【０１６２】
この場合、第１の表示部及び第２の表示部の表示画面を同時に視認可能な姿勢関係にある場合の視認可能なレベル（例えば、２つの画面の角度範囲により区別される視認可能なレベル（２つの画面の角度が１８０°に近い程、視認可能なレベルは高い））により、ライブビュー画像を第２の表示部に表示させるか、又は２種類以上の画像中のライブビュー画像以外の画像を第２の表示部に表示させるかを切り替え、あるいは２種類以上の画像のうちのいずれの画像を第２の表示部に表示させるかを切り替えて表示するようにしてもよい。
【０１６３】
また、照度検出部により検出された光の強度が設定値を満たして場合の光の強度レベルにより、ライブビュー画像を第２の表示部に表示させるか、又は２種類以上の画像中のライブビュー画像以外の画像を第２の表示部に表示させるかを切り替え、あるいは２種類以上の画像のうちのいずれの画像を第２の表示部に表示させるかを切り替えて表示するようにしてもよい。尚、光の強度レベルが高い程、第２の表示部も見にくくなるため、より被写体位置を確認しやすい画像にすることが好ましい。例えば、通常のライブビュー画像よりもライブビュー画像を２値化した２値画像やライブビュー画像のコントラストを増加させた画像の方が、被写体位置を確認しやすい画像である。
【０１６４】
本発明は上述した実施形態に限定されず、本発明の精神を逸脱しない範囲で種々の変形が可能であることは言うまでもない。
【符号の説明】
【０１６５】
１、１−２、１−３  デジタルカメラ
１０  交換レンズ
２０  カメラ本体
２２、２２−２  第１の表示部
２２Ａ，２２−２Ａ、３２−２Ａ  ヒンジ
２３  照度センサ
２４  露出補正ダイヤル
２６  シャッタースピードダイヤル
２８  インジケーターランプ
３０  シャッターボタン
３２、３２−２  第２の表示部
３４  フラッシュ
４０  撮像部
４２  信号処理部
４４  画像記録再生部
４６  操作部
４８  通信部
５０  表示制御部
５１  表示用データ生成部
５２  画像合成部
５３  ２値化回路
５４  キャラクタジェネレータ
５５  カメラ情報生成部
５６  表示切替え部
６０  第１の角度検出部
６２  第２の角度検出部
６４  判別部
７０  中央処理装置（ＣＰＵ）
１００  主要被写体
１１０  顔枠
１２０、１２２  グリッド
Ｓ１０〜Ｓ２４  ステップ
【図１】
0006445219.tif 000002
【図２】
0006445219.tif 000003
【図３】
0006445219.tif 000004
【図４】
0006445219.tif 000005
【図５】
0006445219.tif 000006
【図６】
0006445219.tif 000007
【図７】
0006445219.tif 000008
【図８】
0006445219.tif 000009
【図９】
0006445219.tif 000010
【図１０】
0006445219.tif 000011
【図１１】
0006445219.tif 000012
【図１２】
0006445219.tif 000013
【図１３】
0006445219.tif 000014
【図１４】
0006445219.tif 000015
【図１５】
0006445219.tif 000016
【図１６】
0006445219.tif 000017
【図１７】
0006445219.tif 000018